(57)【要約】  【課題】  本発明では、視認性に優れ、商品見本体の形態に限定されずに適用することができるとともに、着脱が容易である表示物保持具の提供を目的とする。  【解決手段】表示物１２を起立状態に保持する保持部１７における略中間部位に、表示物１２における所定の対向縁部が係合可能に突き出した被係合口に係合する係合部１９を形成し、上記保持部の一方の側から突き出して、ハーフ型の商品見本体１１の開口縁部を挟持して取り付ける前記取付け部１８の少なくとも先端側に、上記商品見本体の開口縁部を挟持する一対の挟持片１８ａ、１８ｂを備えて形成した表示物保持具１６、２３、２５。  【選択図】    図１
2005148426.tif 000002
【特許請求の範囲】
【請求項１】
所定の宣伝内容が印刷されたシート状の表示物を起立状態に保持する保持部と、
上記保持部の一方の側から突き出して、自動販売機の展示部に展示されるとともに、縦に半割り状に形成したハーフ型の商品見本体における開口縁部を挟持して取り付ける取付け部とを備えた
表示物保持具。
【請求項２】
前記表示物を、所定の宣伝内容が印刷された表示部と、所定の対向縁部が係合可能に突き出した被係合口を備えて前記保持部に保持される被保持部とで構成し、
前記保持部における略中間部位に、前記被係合口に係合する係合部を形成し、
前記取付け部の少なくとも先端側に、上記商品見本体の開口縁部を挟持する一対の挟持片を備えて形成した
請求項１に記載の表示物保持具。
【請求項３】
前記表示物における前記被保持部を前記保持部に取り付ける際に、前記被係合口が前記係合部に係合されるように該被係合口を規制して上記表示物を位置決めする規制突起部を、上記保持部における前記取付け部を形成した部位と反対側から上記被係合口の口縁部に当接するよう突き出して形成した
請求項２に記載の表示物保持具。
【請求項４】
前記一対の挟持片のうちの少なくとも一方の側における、前記商品見本体の上記開口縁部を挟持したときに該開口縁部に接触する接触部位に、挟持力を向上させる突起部を形成した
請求項２に記載の表示物保持具。
【発明の詳細な説明】
【技術分野】
【０００１】
この発明は、自動販売機の展示台に展示される商品見本体における宣伝内容を表示する手段に関し、さらに詳しくは、所定の宣伝内容が表示された表示物を保持した状態で商品見本体に取り付けることができる表示物保持具に関する。
【背景技術】
【０００２】
従来、商品見本体に印刷されるラベル表示以外にも、販売促進を図るために、キャンペーン期間中であることや、その商品のＣＭキャラクタを表示したい、あるいは「おすすめ品」、「新発売」等のメッセージなどを表示したい場合は、例えば、先行技術１（特許文献１参照）の自動販売機用商品見本の表示スタンドが提案されている。  
上記表示スタンドは、表示物取付け部によって、展示台に設置された缶型の商品見本体の後端側に表示体（表示物）を起立状態に取り付けた状態で、係合部によって、上記缶型の商品見本体のフランジ部に取り付けられる。
【０００３】
しかし、上記表示スタンドは上記取り付け形態を採れば、上記係合部が商品見本体の前端側に位置し、係合部が目立つため、見栄えが悪くなる。また、上記表示スタンドは缶型の商品見本体のみを取り付け可能に係合部を形成しているため、ハーフ型、およびボトル型等他の商品見本体に取り付けることができず、その用途が限定されてしまう。しかも、缶型の商品見本体の上面にしか取り付けることができず、取り付け部位も限定される。
【０００４】
【特許文献１】特開平９−２０４５６５号公報
【発明の開示】
【発明が解決しようとする課題】
【０００５】
そこで本発明では、視認性に優れ、商品見本体の形態に限定されずに適用することができるとともに、着脱が容易である表示物保持具の提供を目的とする。
【課題を解決するための手段】
【０００６】
本発明の表示物保持具は、所定の宣伝内容が印刷されたシート状の表示物を起立状態に保持する保持部と、上記保持部の一方の側から突き出して、自動販売機の展示部に展示されるとともに、縦に半割り状に形成したハーフ型の商品見本体における開口縁部を挟持して取り付ける取付け部とを備えたことを特徴とする。
【０００７】
上記商品見本体は、ボトル型、缶型の商品見本体、さらにはタバコ用、カップ麺用、スナック菓子用等の商品見本体を対象とする。
【０００８】
上記開口縁部とは、通常縦方向に半割りにしたハーフ型の容器が開口状態となる切断部、すなわち通常、商品見本体を自動販売機の展示台に設置したときに後側に位置する開口部の端部を示す。
【０００９】
上記取付け部は、商品見本体の開口縁部を挟持して取り付ける構成であればよい。
【００１０】
また、上記取付け部は、例えば、予め磁性を帯びさせておき、上記開口縁部を磁力により挟持する、あるいは、摩擦力、弾性力を用いて挟持する構成としてもよい。
【００１１】
さらに、上記保持部は、上記表示物を挟持可能な挟持構造（クリップ構造）であっても、表示物に形成した貫通孔に嵌合して取り付ける形態等、表示物を保持できる構成であれば１つの構成に限定しない。
【００１２】
上記表示物保持具は、別途形成した表示物を保持した状態で商品見本体に取り付ければ、展示台に並設した他の商品見本体と比較して視認性を格段に向上させることができる。
【００１３】
特に表示物保持具は、上記表示物を、所定の宣伝内容が印刷された表示部と、所定の対向縁部が係合可能に突き出した被係合口を備えて前記保持部に保持される被保持部とで構成した場合、上記保持部における略中間部位に、上記被係合口に係合する係合部を形成し、上記取付け部の少なくとも先端側に、上記商品見本体の開口縁部を挟持する一対の挟持片を備えて形成すると好ましい。
【００１４】
上記構成を採れば、例えば、商品見本体の開口縁部であれば、いずれの部位でも取り付けることができるため、商品見本体に対して縦方向、横方向などあらゆる方向取り付けることができる。
【００１５】
また、上記表示物保持具は、上記表示物における上記被保持部を上記保持部に取り付ける際に、上記被係合口が上記係合部に係合されるように該被係合口を規制して上記表示物を位置決めする規制突起部を、上記保持部における上記取付け部を形成した部位と反対側から上記被係合口の口縁部に当接するよう突き出して形成することができる。
【００１６】
上記構成により、いちいち表示物における被係合口を表示物保持具の係合部に意識的に位置決めして係合しなくても、上記被係合口を上記規制突起部に嵌め込むだけで受動的に位置決めして係合することができるため、さらに表示物保持具に対して表示物の取り付けが容易となる。
【００１７】
さらに、上記規制突起部を設けることにより、表示物は、上記表示物における上記被係合口の口縁部を該規制突起部に当接させて摩擦力が生じた状態で取り付けることができるため、表示物が傾いたり、位置ずれしたりしてしまうことを防止することができる。よって、良好な表示状態を確保することができるとともにさらに強固に取り付けることができる。
【００１８】
また、表示物保持具は、前記一対の挟持片のうちの少なくとも一方の側における、前記商品見本体の上記開口縁部を挟持したときに該開口縁部に接触する接触部位に、挟持力を向上させる突起部を形成したことを特徴とする。
【００１９】
上記突起部は、上記接触部位のうち少なくとも一方の側であれば、１つ、あるいは複数形成してもよく、その大きさも限定しない。
【００２０】
上記突起部を形成すれば、表示物保持具は、突起部を介して上記開口縁部を集中的に押圧することができるとともに、より挟持片をたわみ変形させて弾性力を作用させることができるため、商品見本体にさらに強固に取り付けることができる。
【発明の効果】
【００２１】
この発明によれば、上記表示物保持具は、商品見本体に対しての着脱が容易である。つまり、商品見本体を設置台に設置した状態のまま、表示物のみ交換したり、表示物保持具ごと取り外して、別の部位に付け替えたりが容易に行うことができる。
【００２２】
上記表示物保持具は、商品見本体に直接取り付けていた既存の表示物を、そのまま使用することができるため、余計なコストが生じない。しかも、既存の表示物を直接、商品見本体に取り付けるのと比べて強固に取り付けることができるため、長期間展示していても表示物が傾倒したり、離間したりしてしまうことがない。
【００２３】
また、上記表示物保持具は、該表示物保持具の略全体が商品見本体に隠される取り付け形態をとることができる。しかも、表示物は、起立状態を維持して保持することができるため、展示の際における見栄え、視認性がともに優れている。
【００２４】
上記表示物保持具は、ハーフ型の商品見本体の開口縁部であれば、缶型、ボトル型など商品見本体の種類、形態は問わずに取り付けることができる。しかも、上記表示物保持具は、任意の個数で、いずれの部位であっても取り付けることができる。表示物の取り付け方向も縦方向や、意図的に傾倒させて取り付けることもできる。
【発明を実施するための最良の形態】
【００２５】
この発明の一実施形態を、以下図面を用いて説明する。  
本実施例で扱う自動販売機は、人頭高さ位置に展示部を形成し、該展示部には、ボトル型の容器を縦に半割り状に形成したハーフ型の商品見本体１１を、等間隔に並設している（図示せず）。  
さらに、上記並設している商品見本体１１のうちの所定の商品見本体１１の蓋部１１ｃの上面には、図１に示すごとく、本発明の表示物保持具１６を介してシート状の表示物１２が取り付けられている。
【００２６】
また、上記商品見本体１１は、ボトル型商品（例えば飲み物が封入されたペットボトル）を縦に略半割りにして正面視すればボトル型商品と略酷似する外観、及び、意匠に形成している。以下、実施形態で説明し易いように下側から上方へ順に、底部１１ａ、胴部１１ｂ、蓋部１１ｃの３部位に区分する。なお、上記ハーフ商品見本体はボトル型商品の蓋部１１ｃも含めて全て樹脂フィルムで形成している。
【００２７】
さらに、胴部１１ｂには、それぞれ商品ごとのラベルが印刷されており、（図示せず）、該ラベルを、明瞭に表示するとともに、上記商品見本体１１自体を立体的に発光させることができる光源３１（図７参照）を前記展示台の下側に備えている。
【００２８】
次に、上記表示物１２は、表示部１３と被保持部１４とからなり（図３参照）、上記表示部１３には、上述したラベルのように商品を特定するための表示に限らず、例えば、図１中に示すごとく、「新商品」など、期間限定、キャンペーン期間である旨のフレーズを表示して購買意欲を刺激することができる。
【００２９】
一方、上記被保持部１４は、上記表示部１３の一端側から段状に突き出した形態をして、幅方向にかけて、後述する表示物保持具１６に係合するための被係合口１５が開口している。上記被係合口１５の形状は、幅方向の中間部において上下両端部が互いに対向状態に湾曲状に突き出しており、上側から下方へ突き出した上側被係合突部１５ａと、下側から上方へ突き出した下側被係合突部１５ｂとを備えた形態をしている。
【００３０】
具体的には、上記被係合口１５の形状は、上端縁部が水平であり、下端縁部が幅方向の中間部において下方に湾曲し、下側被係合突部１５ｂは、上側被係合突部１５ａよりも幅広で、突き出し量も大きく形成している。
【００３１】
以上が表示物１２の形態である。なお、該表示物１２は従来、缶型の商品見本体１１の外周部における角部などに被係合口１５を係合することにより、直接取り付け可能に上述する形態で形成されていたが、取り付ける部位によっては、表示物１２が商品見本体１１から離間してしまうことや、取り付けることができる部位も限定されていた。
【００３２】
次に、図２に示すごとく表示物保持具１６は、材質はポリカボネートで形成し、射出成形により形成することができる。さらに、上記表示物保持具１６は、表示物１２を保持する保持部１７と商品見本体１１に取り付ける取付け部１８とからなる。
【００３３】
上記保持部１７は、図１において商品見本体１１に取り付いたときに正面視したときの後端側を示し、該保持部１７は、その長さ方向が上記表示部１３における被保持部１４の被係合口１５よりも長く、係合部１９よりも短い長さを備えた棒片状の略長方体に形成している。
【００３４】
ここで、上記保持部１７は、上記表示物１２を安定して保持するための係合部１９と規制部２０とを備えて形成している。  
上記係合部１９は、膨出部１９ａと係合溝（上側係合溝１９ｂ、及び下側係合溝１９ｃ）とからなり、上記膨出部１９ａは、上記保持部１７における後側面における長さ方向の中間部付近を上記表示物１２の被係合口１５の幅よりもやや幅小であって、後方側に湾曲状に膨出させた形態で形成している。
【００３５】
また、上記保持部１７の幅方向の中間部における上面には、上記表示物１２における上側被係合突部１５ａに係合可能な上側係合溝１９ｂを形成し、下面には、上記表示物１２の下側被係合突部１５ｂに係合可能な下側係合溝１９ｃを形成している。すなわち、下側係合溝１９ｃは、上側係合溝１９ｂよりも大きく形成している。
【００３６】
なお、上側係合溝１９ｂ、及び下側係合溝１９ｃの溝の大きさは、それぞれ上記上側被係合突部１５ａ、下側被係合突部１５ｂに係合可能であれば、上記構成に限定せず上側係合溝と下側係合溝の大きさを同一に形成してもよい。さらに、上側係合溝１９ｂ、及び下側係合溝１９ｃは、上下方向に連通させて貫通状態に形成してもよい。
【００３７】
さらに、保持部１７には、上述したとおり該保持部１７の後側面における膨出部１９ａの両側に上記表示物１２を当接させて該表示物１２が不用意に回動するのを規制する規制部２０を形成している。
【００３８】
一方、上記取付け部１８は、平面視Ｕ字形をして上記保持部１７における前方側、すなわち、膨出部１９ａと反対側の面から上記保持部１７の上面と面一致で片状に突き出している。さらに、取付け部１８における前後方向の中央から前方にＵ字形の外周沿いに架設した下側挟持片１８ａを形成している。
【００３９】
さらに、取付け部１８における上端面には、平面視するとＵ字形の下側挟持片１８ａに対して内側に、平面視Ｕ字形であり板状の上側挟持片１８ｂを取付け部１８の後側から延設して、一対の挟持構造（クリップ構造）を形成している。
【００４０】
以上が表示物保持具１６の構成である。次に表示物１２を表示物保持具１６に保持するための手順について説明する。  
まず、図３に示すごとく表示物１２における表示部１３の表面を前方に向け、表示部１３における被保持部１４を表示物保持具１６の後方側に、表示物１２と表示物保持具１６のそれぞれの幅方向の中間部位を一致させた状態で臨ませる。  
さらに、上記表示物保持具１６の保持部１７の後側に有する膨出部１９ａを、上記表示物物保持具に有する被係合口１５に挿し込もうとすれば、膨出部１９ａが上側被係合突部１５ａ、及び下側被係合突部１５ｂに当接する。
【００４１】
しかし、まず上側被係合突部１５ａ、又は下側被係合突部１５ｂのいずれか一方の周辺をたわみ変形してそれに対応する係合溝１９ｂ又は１９ｃに入り込ませれば、もう一方の被係合突部１５ａ又は１５ｂもそれに対応するもう一方の係合溝１９ｂ又は１９ｃに容易に係合することができる。
【００４２】
以上により、図４に示すごとく上下両方において、上側係合溝１９ｂを上側被係合突部１５ａへ係合することができるとともに、下側係合溝１９ｃを下側被係合突部１５ｂに係合することができる。さらに、膨出部１９ａが被係合口１５に挿通した状態となるため、表示物保持具１６は、表示物１２の表面を前方に向けて起立状態に安定して保持することができる。
【００４３】
しかも、表示物１２の被保持部１４における被係合口１５の幅方向の両側は、表示物保持具１６の保持部１７の後側面における膨出部１９ａの両側の規制部２０に当接するため、表示物保持具１６は、表示物１２が保持部の前側に回り込むことを規制した状態で保持することができる。  
なお、逆に表示物１２を表示物保持具１６から離間する場合は、起立状態の表示物１２を傾倒させることにより、互いの係合を解除することができるため、容易に離間することができる。
【００４４】
次に、表示物保持具１６を商品見本体１１における例えば蓋部１１ｃ上面に取り付ける手順としては、上側挟持片１８ｂと下側挟持片１８ａとの間に蓋部１１ｃの上端面を差し込む。  
このように差し込めば、図４に示すごとく蓋部１１ｃ上端面の厚みに応じて特に下側挟持片１８ａがたわみ変形して弾性力が作用することにより、強固に蓋部１１ｃ上面を挟持することができる。
【００４５】
以上により、表示物保持具１６は、該表示物保持具１６における保持部１７が表示物１２を起立状態に保持することができるとともに、表示物保持具１６における取付け部１８によって、該表示物保持具１６の略全ての部位を商品見本体１１に、目立たないように取り付けることができるため、全体として表示物１２を商品見本体１１に見栄えよく表示することができる。
【００４６】
なお、上述した取り付け手順とは逆に、先に上記表示物保持具１６を商品見本体１１に取り付けて、その後に表示物１２を表示物保持具１６に取り付けてもよい。
【００４７】
また、上記表示物保持具１６を取り付ける部位は、商品見本体１１における開口縁部であれば蓋部１１ｃ上端面に限らず取り付けることができる。すなわち、図５に示すごとく、胴部１１ｂや、胴部１１ｂと蓋部１１ｃとを連結した湾曲状の部位であっても、表示物１２を安定した状態に保持した状態で取り付けることができる。
【００４８】
上記表示物保持具１６の他の実施形態として、表示物保持具１６は、図６（ｆ）、（ｇ）に示すごとく、商品見本体１１に取り付ける際に、展示台の下側に備えた光源３１（図７参照）からの光を反射する反射板２２を介して取り付けることができる。  
具体的には、上記反射板２２は、商品見本体１１の開口部形状をしたシート状をなし、該部位に反射シート２２ｃを添着して形成している。さらに、反射板２２の下端部には透明色をして光を透過するフラップ状の押え付け片２２ａが折癖を付して連結している。また、反射板２２における上方の商品見本体１１の蓋部１１ｃ上面に対応する部位には、上記表示物保持具１６における取付け部１８が挿し込み可能な挿し込み孔２２ｂを形成している。  
上記反射板２２の商品見本体１１への装着は、図６（ｆ）に示すごとく、まず押え付け片２２ａを商品見本体１１の底部１１ａの下方に差し込んで敷設する。さらに、表示物保持具１６における取付け部１８を挿し込み孔２２ｂに挿し込んで反射板２２を表示物保持具１６に取り付けた後、上述と同様に上側挟持片１８ｂ、及び下側挟持片１８ａにより表示物保持具１６における蓋部１１ｃ上面を挟持すれば、反射板２２を上下で固定して装着することができる。
【００４９】
このように、反射板２２を取り付けることにより、図６（ｇ）、図７に示すごとく商品見本体１１であっても、展示台の後方に位置する開口部から光源３１からの放射してしまうことを防止することができるとともに、商品見本体１１に向けて光を反射させて、より一層商品見本体１１を明瞭に展示することができる。
【００５０】
他の表示物保持具２３の実施形態として、図８に示すごとく上記表示物保持具２３の保持部１７における前記係合部１９を係合した前記被係合口１５の口縁部に当接する部位に、例えば膨出部１９ａと規制部２０との間に位置する部位で後方に突き出した規制突起部２４を備えることができる。
【００５１】
上記構成を採れば、いちいち表示物１２における被係合口１５を表示物保持具２３の係合部１９に位置決めして係合しなくても、上記被係合口１５を上記規制突起部２４に嵌め込むことにより位置決めすることができるため、さらに表示物保持具２３に対して表示物１２の取り付けが容易となる。
【００５２】
さらに、上記規制突起部２４を設けることにより、表示物１２は、上記表示物１２における上記被係合口１５の口縁部を該規制突起部２４に当接させて摩擦力が生じた状態で取り付けることができるため、表示物１２が傾いたり、位置ずれしたりすることを防止することができる。よって、良好な表示状態を確保することができるとともにさらに強固に取り付けることができる。
【００５３】
また、上記構成により、自動販売機が温度制御を行う際に自動的に稼動して振動するが、例えばこのような振動が生じても表示物１２は、表示物保持具２３に対して振動しないため、良好な見栄えを維持することができる。
【００５４】
さらに他の表示物保持具２５の実施形態として、表示物保持具２５における上記上側挟持片１８ｂの下面の先端側に下方に突き出した突起部２６を形成してもよい。  
上記構成を採れば、図９に示すごとく上側挟持片１８ｂは、突起部２６を介して蓋部１１ｃの上面を挟持することになる。これにより、より上側挟持片１８ｂ、及び下側挟持片１８ａをたわみ変形させて、蓋部１１ｃの上面を押圧する弾性力、滑り止め力（摩擦力）を向上させることができるため、さらに強固に取り付けることができる。
【００５５】
上述の実施形態と、この発明の構成との対応において、この実施形態の上側挟持片１８ｂ、及び下側挟持片１８ａは、この発明の挟持片に対応するも、この発明は、上述の実施形態の構成のみに限定されるものではなく、多くの実施の形態を得ることができる。
【図面の簡単な説明】
【００５６】
【図１】本発明の表示物保持具の使用状態を表す説明図。
【図２】本発明の表示物保持具を各方向から視た説明図。
【図３】本発明の表示物保持具の使用方法を表す説明図。
【図４】本発明の表示物保持具の使用状態を表す拡大断面図。
【図５】本発明の表示物保持具の他の使用状態を表す説明図。
【図６】本発明の表示物保持具の反射板を用いた使用状態を表す説明図。
【図７】本発明の表示物保持具の反射板を用いた使用状態を一部拡大して表した断面図。
【図８】本発明の他の表示物保持具の説明図。
【図９】本発明のさらに他の表示物保持具の使用状態を表す断面図。
【符号の説明】
【００５７】
１１…ハーフ商品見本体
１２…表示物
１３…表示部
１４…被保持部
１５…被係合口
１６、２３、２５…表示物保持具
１７…保持部
１９…係合部
２０…規制部
１８…取付け部
１８ａ、１８ｂ…挟持片
２４…規制突起部
２６…突起部
【図１】
2005148426.tif 000003
【図２】
2005148426.tif 000004
【図３】
2005148426.tif 000005
【図４】
2005148426.tif 000006
【図５】
2005148426.tif 000007
【図６】
2005148426.tif 000008
【図７】
2005148426.tif 000009
【図８】
2005148426.tif 000010
【図９】
2005148426.tif 000011